(57)【要約】【課題】単一周波数ネットワークのセル間でアップリンク内の干渉を調整するための方法、基地局、モバイル端末およびモバイルネットワークを提供する。【解決手段】少なくとも２つのサブセットＦ１、Ｆ２．．．ＦＲにさらに分割されるアップリンク用に使用される周波数帯域を伴う単一周波数ネットワークのセルＣ１、Ｃ６間でアップリンク内の干渉を調整する。少なくとも２つのサブセットのうちの専用サブセットＦ１が、セル間干渉の負担をより多く負うように選択され、この専用サブセット内の強いセル間干渉の観察のもとで第１のセルＣ１内に位置するモバイル端末に割り当てられる。第１セルの近隣の前記セルのうちの第２のセルＣ６の境界領域内に位置し、前記第１セルＣ１内で最強の干渉を引き起こすモバイル端末Ｔ２が、さらなるネットワーク基準に基づいて、前記専用サブセットＦ１にスケジューリングされるように試みられる。【選択図】図１
2006352859.tif 000002
【特許請求の範囲】
【請求項１】
少なくとも２つのサブセットにさらに分割されるアップリンク用に使用される周波数帯域を伴う単一周波数ネットワークのセル間でアップリンク内の干渉を調整するための方法であって、
前記少なくとも２つのサブセットのうちの専用サブセットが、セル間干渉の負担をより多く負うように選択され、この専用サブセット内の強いセル間干渉の観察のもとで第１のセル、または前記セルのうちの第１セルの領域内に位置するモバイル端末に割り当てられ、
第１セルの近隣の前記セルのうちの第２のセルの境界領域内に位置し、前記第１セル、または第１セルの前記領域内で最強の干渉を引き起こすモバイル端末が、さらなるネットワーク基準に基づいて、前記専用サブセットにスケジューリングされるように試みられる方法。
【請求項２】
第１セル、または前記セルのうちの第１セルの領域内に位置する前記モバイル端末が前記少なくとも２つのサブセットのうちの前記専用サブセットを、前記専用サブセットをやはり使用する第１セルの近隣の前記セルのうちの第２セルの前記モバイル端末のアップリンク送信が第１セルの前記モバイル端末のアップリンク送信によって妨害されないことを保証し、また第１セルの前記モバイル端末のアップリンク送信を依然として可能にする、制限された電力で使用する請求項１に記載の方法。
【請求項３】
前記第１セルの近隣セルがそれぞれ、第１セルの前記少なくとも２つのサブセットのうちの少なくとも１つの専用サブセットのうちの少なくとも１つとは異なる、前記少なくとも２つのサブセットのうちの少なくとも１つの専用サブセットを有し、
近隣セルのうちの１つのセルであるセルまたは第１セルの内部領域に位置するモバイル端末が、前記少なくとも２つのサブセットのうちの各専用サブセットを制限された電力だけで使用する請求項１に記載の方法。
【請求項４】
前記第１および第２セルが、近隣セクタの内側領域の前記少なくとも２つのサブセットのうちのそれぞれ異なる専用サブセットを含むセクタ化されたセルであり、
セクタ化されたセルの内側領域内に位置するモバイル端末が、前記少なくとも２つのサブセットのうちの各専用サブセットを制限された電力だけで使用し、
セクタの境界領域内の第２セル内に位置するモバイル端末が、最強の干渉が前記モバイル端末から引き起こされるセクタに関連する専用サブセットにスケジューリングされる請求項１に記載の方法。
【請求項５】
セルの基地局が、モバイル端末から送信される専用セル固有のまたはセル領域固有の信号によって、他のどのセルまたはセルの領域から干渉が生じるかを識別することができ、
前記基地局が、前記干渉の生じる元であるセルの基地局に干渉に関する通知を送信し、
前記干渉の生じる元であるセルの基地局が、その履歴またはそれらの端末に関する追加の情報を用いて、どのモバイル端末から干渉が引き起こされたかを発見し、
前記干渉の生じる元であるセルの基地局が、前記モバイル端末から引き起こされた干渉に関する複数の基地局からの通知を比較し、
前記干渉の生じる元であるセルの基地局が、干渉の引き起こされた元であるモバイル端末を、前記モバイル端末によって引き起こされる最強の干渉を受けるセルまたはセルの領域の専用サブセットにスケジューリングする請求項３に記載の方法。
【請求項６】
モバイル端末がどのセルまたはセルの領域内でモバイル端末が干渉を引き起こすかをダウンリンク干渉またはパス損失測定を用いて評価し、
モバイル端末が最強の干渉を引き起こすセルまたはセルの領域の専用サブセットにスケジューリングされるよう求める請求項３に記載の方法。
【請求項７】
少なくとも２つのサブセットにさらに分割されるアップリンク用に使用される周波数帯域を伴う単一周波数ネットワークのセル間でアップリンク内の干渉を調整するための基地局であって、
モバイル端末から送信される専用セル固有の信号を用いて、どのセルまたはセルの領域から干渉が生じるかを識別するための手段と、
別の基地局に干渉に関する通知を送信するための手段と、
基地局の履歴またはそれらの端末に関する追加の情報を用いて、どのモバイル端末から干渉が引き起こされたかを発見するための手段と、
干渉に関する複数の基地局からの通知を比較するための手段と、
モバイル端末を、前記モバイル端末によって引き起こされる最強の干渉を受けるセルまたはセルの領域の専用サブセットにスケジューリングするための手段とを備える基地局。
【請求項８】
少なくとも２つのサブセットにさらに分割されるアップリンク用に使用される周波数帯域を伴う単一周波数ネットワークのセル間でアップリンク内の干渉を調整するためのモバイル端末であって、
どのセルまたはセルの領域内でそれが干渉を引き起こすかをダウンリンク干渉またはパス損失測定を用いて評価するための手段と、
モバイル端末が最強の干渉を引き起こすセルまたはセルの領域の専用サブセットにスケジューリングされるよう求めるための手段とを備えるモバイル端末。
【請求項９】
少なくとも２つのサブセットにさらに分割されるアップリンク用に使用される周波数帯域を伴う単一周波数ネットワークのセル間でアップリンク内の干渉を調整するための基地局を備えるモバイルネットワークであって、基地局が、
モバイル端末から送信される専用セル固有の信号を用いて、どのセルまたはセルの領域から干渉が生じるかを識別するための手段と、
干渉に関する通知を別の基地局に送信するための手段と、
基地局の履歴またはそれらの端末に関する追加の情報を用いて、どのモバイル端末から干渉が引き起こされたかを発見するための手段と、
干渉に関する複数の基地局からの通知を比較するための手段と、
請求項１に記載の方法を実施するためにモバイル端末を、前記モバイル端末によって引き起こされる最強の干渉を受けるセルまたはセルの領域の専用サブセットにスケジューリングするための手段とを備えるモバイルネットワーク。
【請求項１０】
少なくとも２つのサブセットにさらに分割されるアップリンク用に使用される周波数帯域を伴う単一周波数ネットワークのセル間でアップリンク内の干渉を調整するためのモバイル端末を備えるモバイルネットワークであって、モバイル端末が、
どのセルまたはセルの領域内でモバイル端末が干渉を引き起こすかをダウンリンク干渉またはパス損失測定を用いて評価するための手段と、
請求項１に記載の方法を実施するために、モバイル端末が最強の干渉を引き起こすセルまたはセルの領域の専用サブセットにスケジューリングされるよう求めるための手段とを備えるモバイルネットワーク。
【発明の詳細な説明】
【技術分野】
【０００１】
本発明は、参照として本明細書に組み込まれている優先出願ＥＰ  ０５２９１２７８．９号に基づくものである。
【０００２】
本発明は、少なくとも２つのサブセットにさらに分割されるアップリンク用に使用される周波数帯域を伴う単一周波数ネットワークのセル間でアップリンクアップリンク内の干渉を調整するための方法であって、
前記少なくとも２つのサブセットのうちの１つの専用サブセットが、セル間干渉の負担をより多く負うように選択され、この専用サブセット内の強いセル間干渉の観察のもとで第１のセル、または前記セルのうちの第１のセルの領域内に位置するモバイル端末に割り当てられ、
第１セルの近隣の前記セルのうちの第２のセルの境界領域内に位置し、前記第１セル、または第１セルの前記領域内で最強の干渉を引き起こすモバイル端末が、さらなるネットワーク基準に基づいて、前記専用サブセットにスケジューリングされるように試みられる方法、
少なくとも２つのサブセットにさらに分割されるアップリンク用に使用される周波数帯域を伴う単一周波数ネットワークのセル間でアップリンク内の干渉を調整するための基地局であって、
モバイル端末から送信される専用セル固有の信号を用いて、どのセルまたはセルの領域から干渉が生じるかを識別するための手段と、
干渉に関する通知を別の基地局に送信するための手段と、
基地局の履歴またはそれらの端末に関する追加の情報を用いて、どのモバイル端末から干渉が引き起こされたかを発見するための手段と、
干渉に関する複数の基地局からの通知を比較するための手段と、
モバイル端末を、前記モバイル端末によって引き起こされる最強の干渉を受けるセルまたはセルの領域の専用サブセットにスケジューリングするための手段とを備える基地局、
少なくとも２つのサブセットにさらに分割されるアップリンク用に使用される周波数帯域を伴う単一周波数ネットワークのセル間でアップリンク内の干渉を調整するためのモバイル端末であって、
どのセルまたはセルの領域内でモバイル端末が干渉を引き起こすかをダウンリンク干渉またはパス損失測定を用いて評価するための手段と、
モバイル端末が最強の干渉を引き起こすセルまたはセルの領域の専用サブセットにスケジューリングされるよう求めるための手段とを備えるモバイル端末、および
少なくとも２つのサブセットにさらに分割されるアップリンク用に使用される周波数帯域を伴う単一周波数ネットワークのセル間でアップリンク内の干渉を調整するための基地局を備えるモバイルネットワークであって、基地局が、
モバイル端末から送信される専用セル固有の信号を用いて、どのセルまたはセルの領域から干渉が生じるかを識別するための手段と、
干渉に関する通知を別の基地局に送信するための手段と、
基地局の履歴またはそれらの端末に関する追加の情報を用いて、どのモバイル端末から干渉が引き起こされたかを発見するための手段と、
干渉に関する複数の基地局からの通知を比較するための手段と、
少なくとも２つのサブセットにさらに分割されるアップリンク用に使用される周波数帯域を伴う単一周波数ネットワークのセル間でアップリンク内の干渉を調整するための方法を実施するために、モバイル端末を前記モバイル端末によって引き起こされる最強の干渉を受けるセルまたはセルの領域の専用サブセットにスケジューリングするための手段とを備え、
前記少なくとも２つのサブセットのうちの１つの専用サブセットが、セル間干渉の負担をより多く負うように選択され、この専用サブセット内の強いセル間干渉の観察のもとで第１のセル、または前記セルのうちの第１セルの領域内に位置するモバイル端末に割り当てられ、
第１セルの近隣の前記セルのうちの第２のセルの境界領域内に位置し、前記第１セル、または第１セルの前記領域内で最強の干渉を引き起こすモバイル端末が、さらなるネットワーク基準に基づいて、前記専用のサブセットにスケジューリングされるように試みられるモバイルネットワークに関する。
【背景技術】
【０００３】
直交アップリンク伝送方式、たとえば直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、単一キャリア周波数分割多重アクセス（ＦＤＭＡ：Ｆｒｅｑｕｅｎｃｙ  Ｄｉｖｉｓｉｏｎ  Ｍｕｌｔｉｐｌｅ  Ａｃｃｅｓｓ）、または複数の端末とのインターリーブ型ＦＤＭＡなどの分散型ＦＤＭＡは、たとえば移動無線システム用のエアインターフェースの将来の進化にとってますます重要になる。それらの無線システムは、たとえばＩＥＥＥ８０２．１１ａ規格による無線ローカルエリアネットワーク（ＷＬＡＮ：Ｗｉｒｅｌｅｓｓ  Ｌｏｃａｌ  Ａｒｅａ  Ｎｅｔｗｏｒｋ）または第４世代エアインターフェースについて、たとえば第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）技術仕様グループ（ＴＳＧ：Ｔｅｃｈｎｉｃａｌ  Ｓｐｅｃｉｆｉｃａｔｉｏｎ  Ｇｒｏｕｐ）無線アーキテクチュアネットワーク（ＲＡＮ：Ｒａｄｉｏ  Ａｃｃｅｓｓ  Ｎｅｔｗｏｒｋ）において現在議論されている。
【０００４】
ライセンス化された帯域幅を考慮すると、たとえば画像アップロードやビデオ通信のためのネットワークプロバイダからの伝送容量は、すべてのユーザができるだけ多くの加入者となるためにできるだけ大きくなければならない。さらに、ユーザが経験するサービス品質、特にサービスの適用範囲は、ユーザによって求められる重要な特性である。したがって、アップリンクアクセス方式は、単一周波数ネットワーク（ＳＦＮ：ｓｉｎｇｌｅ  ｆｒｅｑｕｅｎｃｙ  ｎｅｔｗｏｒｋ）のセル境界でうまく機能すべきである。
【０００５】
周波数の再利用率（ｒｅｕｓｅ  ｆａｃｔｏｒ）が１のセルラシステムでは、セル境界の信号対干渉比率は１または０ｄＢに近づくことがあり、したがって、近隣セルからのモバイル端末が考慮対象のモバイル端末に近く、また同じ周波数上で同じ電力で送信する場合には、モバイル端末から基地局への有用な伝送は保持され得ない。
【０００６】
したがって、ＣＤＭＡ（Ｃｏｄｅ  Ｄｉｖｉｓｉｏｎ  Ｍｕｌｔｉｐｌｅ  Ａｃｃｅｓｓ：符号分割多重アクセス）ではソフトハンドオーバが存在し、モバイル端末は、異なる（端末固有の）スクランブリング符号をアップリンク内で常に使用する。次いで、受信は、ＣＤＭＡからの拡散利得を使用して可能である。知られているように、強い干渉のせいで、アップリンク容量はかなり制限される。
【０００７】
ＯＦＤＭ伝送では、ＣＤＭＡ送信での符号の代わりに、周波数群がモバイル端末に割り当てられる。他のＦＤＭＡ直交アップリンク手法でも、アップリンク内で周波数がモバイル端末に割り当てられる。したがって、ＣＤＭＡ伝送とは異なりこれらの手法では、干渉が計画され、回避され得る。これらの直交アップリンク伝送手法では、セル境界における問題もまた解決されなければならない。
【０００８】
これまで、セルについての周波数計画は、それぞれのセル全体に別個の周波数帯域を与えることによって可能なものである。
【０００９】
しかし、それぞれ異なるセルへの周波数の分配によって、セル当たりの使用可能なアップリンクリソースが非常に大幅に、たとえば１／３または１／７倍減少し、したがって総システムスループットが減少する。それは、セルの内側領域のリソースの浪費である。
【００１０】
セルの外側部分ではたとえば１／３だけの周波数再利用が可能であるが、依然として多すぎるリソースを浪費する。
【発明の開示】
【発明が解決しようとする課題】
【００１１】
本発明の目的は、使用可能なアップリンクリソースの適切な使用法を提供する、単一周波数ネットワークのセル間でアップリンク内の干渉を調整するための方法を提案することである。
【課題を解決するための手段】
【００１２】
この目的は、少なくとも２つのサブセットにさらに分割されるアップリンク用に使用される周波数帯域を伴う単一周波数ネットワークのセル間の方法アップリンクであって、
前記少なくとも２つのサブセットのうちの１つの専用サブセットが、セル間干渉の負担をより多く負うように選択され、この専用サブセット内の強いセル間干渉の観察のもとで第１のセル、または前記セルのうちの第１セルの領域内に位置するモバイル端末に割り当てられ、
第１のセルの近隣の前記セルのうちの第２のセルの境界領域内に位置し、前記第１セル、または第１セルの前記領域内で最強の干渉を引き起こすモバイル端末が、さらなるネットワーク基準に基づいて、前記専用のサブセットにスケジューリングされるように試みられる方法アップリンク、
少なくとも２つのサブセットにさらに分割されるアップリンク用に使用される周波数帯域を伴う単一周波数ネットワークのセル間でアップリンク内の干渉を調整するための基地局であって、
モバイル端末から送信される専用セル固有の信号を用いて、どのセルまたはセルの領域から干渉が生じるかを識別するための手段と、
干渉に関する通知を別の基地局に送信するための手段と、
基地局の履歴またはそれらの端末に関する追加の情報を用いて、どのモバイル端末から干渉が引き起こされたかを発見するための手段と、
干渉に関する複数の基地局からの通知を比較するための手段と、
モバイル端末を、前記モバイル端末によって引き起こされる最強の干渉を受けるセルまたはセルの領域の専用サブセットにスケジューリングするための手段とを備える基地局、
少なくとも２つのサブセットにさらに分割されるアップリンク用に使用される周波数帯域を伴う単一周波数ネットワークのセル間でアップリンク内の干渉を調整するためのモバイル端末であって、
どのセルまたはセルの領域内でそれが干渉を引き起こすかをダウンリンク干渉またはパス損失測定を用いて評価するための手段と、
それが最強の干渉を引き起こすセルまたはセルの領域の専用サブセットにスケジューリングされるよう求めるための手段とを備えるモバイル端末、および
少なくとも２つのサブセットにさらに分割されるアップリンク用に使用される周波数帯域を伴う単一周波数ネットワークのセル間でアップリンク内の干渉を調整するための基地局を備えるモバイルネットワークであって、基地局が、
モバイル端末から送信される専用セル固有の信号を用いて、どのセルまたはセルの領域から干渉が生じるかを識別するための手段と、
干渉に関する通知を別の基地局に送信するための手段と、
基地局の履歴またはそれらの端末に関する追加の情報を用いて、どのモバイル端末から干渉が引き起こされたかを発見するための手段と、
干渉に関する複数の基地局からの通知を比較するための手段と、
少なくとも２つのサブセットにさらに分割されるアップリンク用に使用される周波数帯域を伴う単一周波数ネットワークのセル間でアップリンク内の干渉を調整するための方法を実施するために、モバイル端末を前記モバイル端末によって引き起こされる最強の干渉を受けるセルまたはセルの領域の専用サブセットにスケジューリングするための手段とを備え、
前記少なくとも２つのサブセットのうちの１つの専用サブセットが、セル間干渉の負担をより多く負うように選択され、この専用サブセット内の強いセル間干渉の観察のもとで第１のセル、または前記セルのうちの第１セルの領域内に位置するモバイル端末に割り当てられ、
第１のセルの近隣の前記セルのうちの第２のセルの境界領域内に位置し、前記第１セル、または第１セルの前記領域内で最強の干渉を引き起こすモバイル端末が、さらなるネットワーク基準に基づいて、前記専用サブセットにスケジューリングされるように試みられるモバイルネットワークによって達成される。
【００１３】
本発明の主な考えは、アップリンク周波数帯域をサブセットにさらに分割し、またセル間干渉を他の基地局、たとえば各セル内の１つの専用サブセットに集中させ、このようにして他のサブセット内の干渉を低減させるように各セル内でアップリンクのモバイル端末をスケジューリングすることである。異なるサブセット間の干渉はほとんどないと見なされる。
【００１４】
アップリンクチャネルは、他の基地局に干渉しているモバイル端末が、たとえばモバイル端末によって発せられたセル固有のパイロットによって識別され、記録されるように設計される。干渉を感知する基地局は、そのモバイル端末のサービス側基地局に報告を送信する。干渉による妨害に関する報告はサービス側基地局で収集され、そのモバイル端末のアップリンクは、最大の妨害を回避し、最も強い影響を受ける基地局の助けとするために、サービス側基地局によってスケジューリングされる。したがって、そのモバイル端末は専用のサブセットに割り当てられ、この専用サブセットには、最も強い影響を受ける基地局はそれ自体のモバイル端末をスケジューリングせず、またはそれがそのアンテナに非常に近い場合にだけ、それをスケジューリングする。
【００１５】
したがって、最も強い影響を受ける基地局内のアップリンク干渉は、専用サブセット以外の他のすべてのサブセットについて減少され、このようにしてモバイル端末が、干渉が低減された、最も強い影響を受けるセルの境界領域内のこれらの他のサブセットを使用することを可能にし、その結果、有用な伝送が保持され得る。
【００１６】
干渉妨害報告の大量のシグナリングを回避するために、本発明の変形例では、モバイル端末は、そのダウンリンク干渉またはパス損失測定によってそのアップリンク干渉の生成と等価のものが返される（ｒｅｃｉｐｒｏｃａｌ）という概算に基づいて、どのセルでそれが妨害を引き起こしたかをそれ自体で前もって予測することもできる。次いで、モバイル端末は、妨害を受けるセルの専用サブセット、すなわち制限された周波数群においてだけ干渉を引き起こすのに適したアップリンクスケジューリングを求める。これは、制限されていないリソース内の各基地局に対するアップリンク干渉の低減をももたらす。
【００１７】
受信ダイバーシチ、すなわちビーム形成の場合に干渉が１つまたは数個の干渉側モバイル端末からしか見えない場合には、基地局は干渉を回避しようとし、より小さい妨害を受けるサブセットにそのモバイル端末をスケジューリングしようと試みることもでき、それは基本的に、適応サブキャリア割当てと同じである。
【００１８】
基地局に近いセルの内側領域では、すべてのサブセット、すなわちすべての周波数が使用されることができ、他のセルのモバイル端末からの干渉が制限されるため、決定された（ｄｅｄｉｃａｔｅｄ）電力レベルが超過される必要はない。したがって、すべての周波数は、その領域全体に渡って均等に使用され、均等に分散されたモバイル端末にとって最適なリソース使用が提供される。
【００１９】
本発明のさらなる成果については、従属クレームおよび以下の説明から得られる。
【００２０】
以下で、本発明について、添付の図面を参照してさらに説明する。
【発明を実施するための最良の形態】
【００２１】
本発明によるモバイルネットワークは、モバイル端末と基地局とを備える。
【００２２】
前記モバイル端末のそれぞれは、前記基地局のうちの１つまたは複数に接続され、基地局は、基地局制御装置を介してコアネットワークに接続される。
【００２３】
モバイル端末は、たとえばＯＦＤＭネットワークのような単一周波数ネットワーク内の送受信のためのモバイル端末の機能を備え、すなわちそれは、基地局によってモバイルネットワークに接続され得る。
【００２４】
さらに、本発明によるモバイル端末は、どのセルまたはセルの領域内でそれが干渉を引き起こすかをダウンリンク干渉またはパス損失測定によって評価するための手段を備え、またモバイル端末は、それが最大の干渉を引き起こすセルまたはセルの領域の専用のサブセットにスケジューリングされるよう求める手段を備える。
【００２５】
基地局は、たとえばＷＬＡＮやＯＦＤＭネットワークのような単一周波数ネットワークの基地局の機能を備え、すなわちそれは、モバイル端末がモバイルネットワークに接続される可能性を提供する。
【００２６】
さらに、本発明による基地局は、モバイル端末から送信されるたとえばパイロットやトレーニングシーケンスのような専用セル固有の信号によって、どのセルまたはセルの領域から干渉が生じるかを識別するための手段と、干渉に関する通知を別の基地局に送信するための手段と、その履歴、または地理情報などのその端末に関するさらなる情報を用いて、どのモバイル端末から干渉が引き起こされたかを発見するための手段と、干渉に関する複数の基地局からの通知を比較するための手段と、モバイル端末を前記モバイル端末によって引き起こされる最強の干渉を受けるセルまたはセルの領域の専用サブセットにスケジューリングするための手段とを備える。
【００２７】
以下では、例示するために、本発明による方法について図１〜５を参照して詳細に述べる。
【００２８】
本発明による方法について、ＵＴＲＡＮ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｅｓｔｒｉａｌ  Ｒａｄｉｏ  Ａｃｃｅｓｓ  Ｎｅｔｗｏｒｋ：ユニバーサル移動通信システム地上無線アクセスネットワーク）拡張のためのＯＦＤＭ伝送について述べるが、本発明は、たとえばサイクリックプレフィックスおよび周波数領域等化を伴う単一キャリアシステムや、それぞれ異なるキャリアがモバイル端末に分配される他のＦＤＭＡシステムのために使用されることもできる。
【００２９】
図１は、例示するため２つの基地局ノードＢ  ＡおよびノードＢ  Ｂと、２つのモバイル端末Ｔ１およびＴ２とを備える単一周波数マルチセルＯＦＤＭネットワークのアップリンク内の干渉状況を示している。
【００３０】
モバイル端末Ｔ１は基地局ノードＢ  Ａに接続されており、すなわち基地局ノードＢ  Ａは、モバイル端末Ｔ１から基地局ノードＢ  Ａへの矢印によって示される、モバイル端末Ｔ１のサービス側基地局である。モバイル端末Ｔ２は点線で示される基地局ノードＢ  Ａによってサービスされるセルのセル境界の近くに位置しているので、基地局ノードＢ  Ａは、モバイル端末Ｔ２から基地局ノードＢ  Ａへの矢印によって示される、モバイル端末Ｔ２からの干渉に気付く。
【００３１】
セルの同期が想定され得ない場合、干渉回避は、それぞれ異なるタイムスロットの分配ではなく、それぞれ異なる周波数の分配だけに基づかなければならない。
【００３２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ユニバーサル移動通信システム）内の広帯域ＣＤＭＡ（ＷＣＤＭＡ：ｗｉｄｅｂａｎｄ  ＣＤＭＡ）伝送では、モバイル端末に割り当てられるリソースに干渉はつきものであり、したがって、新しいセルに入るときにモバイル端末がそのスクランブリングおよびチャネライゼーションコードを依然として使用し続けることに特別な問題はない。
【００３３】
ＣＤＭＡ伝送と同様にＯＦＤＭでは、ダイバーシチを使用したソフトハンドオーバもまた、２つのセルの重複する領域内のモバイル端末のために実施され得る。しかし、ＣＤＭＡ伝送と異なりＯＦＤＭでは、使用されるキャリア信号は厳密に直交である。したがって、モバイル端末Ｔ２がセルＢ内のリソースを使用し、セルＡに入る場合、これらのリソースは通常、セルＡ内の１つまたは複数の他のモバイル端末によって既に取られている。これらの１つまたは複数の他のモバイル端末は、次にモバイル端末Ｔ２の干渉によって妨害される。厳密に１つの妨害されたモバイル端末が存在する場合、２つの競合するモバイル端末はチャネル符号化によって区別されることができ、それは、干渉が再び拡散され、これによって両方のチャネル容量が制限されることを意味する。
【００３４】
ここでの課題は、こうしたＯＦＤＭ、または周波数領域等化を伴う単一キャリアシステムが１の周波数再利用に、好ましくはソフトハンドオーバなしで対処し、アップリンク内の干渉を調整するための解決策を見つけることである。
【００３５】
本発明は、周波数帯域をサブセットに分割することに基づく。図２は、上部に、周波数軸ｆに沿った複数のＲ独立サブセットＦ１、Ｆ２．．．ＦＲを示している。これらのすべてのサブセットは、電力軸ｐに沿って同じ最大電力値を有することができ、すなわち、すべてのサブセットが同じ最大電力で使用される。これらのサブセットは、周波数選択性フェージングチャネルに対して堅牢であるように、周波数が異なる周波数パターンを含み得る。簡単にするためにそれらは、図２に示されるように、周波数軸ｆに渡るブロックとして描かれている。
【００３６】
本発明の一実施形態では、特定のセルのモバイル端末によって周波数帯域からのサブセットをアップリンクで使用するための電力計画が提案される。モバイル端末がどのセルに属するかに応じて、アップリンク上で専用のサブセットだけが、そのセル内で限られた電力で使用され得る。
【００３７】
この電力制限は、図２の下部分に示されている。ここでは、専用サブセットＦｎが最大で、制限された電力ｐｌでしか使用され得ないことが見て分かる。
【００３８】
モバイル端末がその基地局へのデータ送信のために特定のサブセットを使う場合、この特定のサブセットが近隣セル、または別のアップリンク接続のセクタ内でも使用されることが生じ得る。したがって、たとえば図１のモバイル端末Ｔ１が特定のサブセットを使用して基地局ノードＢ  Ａに送信し、またそのセルのセル境界の近くで近隣セル内のモバイル端末Ｔ２がこの同じ特定のサブセットを使用して基地局ノードＢ  Ｂに送信するならば、基地局ノードＢ  Ａは、そのクライアントモバイル端末Ｔ１からサブセットを受信しようとする場合にＴ２からの干渉を受ける。
【００３９】
干渉電力計画を伴う本発明は、Ｒ＝７の場合について、図３に示されるように無指向性アンテナおよび六角形のセルに関して示され得る。
【００４０】
セルはＣｎと表され、番号ｎが個々のセルの専用サブセットＦｎを示しており、セルの境界領域で使用されるサブセットＦｋは、番号ｋを付けて表されている。セルの内側領域では、すべてのサブセットがアップリンク用に使用される。
【００４１】
本発明の一実施形態では、それぞれの専用サブセットＦｎは、図２による制限された電力でしか使用されない。
【００４２】
Ｒ＝７を選択することによって、セルが異なるセル番号ｎ、すなわち異なる専用サブセットＦｎを有する近隣セルによって囲まれることが達成される。
【００４３】
類似のシナリオが図４に示されている。ここでは、干渉電力計画は、Ｒ＝９の例示的な場合について、セクタ化された六角形のセルに関して図示されている。
【００４４】
セクタはＳｎと表され、ｎが個々のセクタの専用サブセットＦｎを示しており、セクタの境界領域内で使用されるサブセットＦｋは、番号ｋを付けて表されている。セクタの内側領域では、すべてのサブセットがアップリンク用に使用されるが、それぞれの専用サブセットＦｎは、より多くの干渉の負担を負い、この内側領域内の強いセル間干渉の観察のもとでだけ使用され得る。
【００４５】
本発明の一実施形態では、個々の専用サブセットＦｎは、図２による制限された電力でしか使用されない。
【００４６】
ＯＦＤＭ伝送の場合にセル内の移動端末がモバイル端末の多重化を達成するためにそれぞれ異なるサブセットを使用するならば、それぞれのサブセットまたはモバイル端末は、基地局が各モバイル端末について個々にチャネル等化を行うことができるように、固有のパイロット、すなわち固有の信号をもたなければならない。
【００４７】
本発明の好ましい一実施形態では、基地局は、ある時間周波数または周波数パターンにおいてどのセルのモバイル端末からたとえば最も強力な干渉が生じるかを識別する。これは、たとえばアップリンク上でその時間周波数または周波数パターンにおける端末パイロットを、セルまたはセクタに固有であり、また近隣セルまたはセクタ間で異なる位置に置くことによって達成され得る。このシナリオは、図５に図示されている。
【００４８】
図５で、周波数軸ｆに沿った周波数パターンすなわちサブセットについて、信号レベルが信号軸Ｓ（ｆ）に沿って示されている。それぞれの周波数パターンにおいて、データ伝送用に使用される絶対振幅レベルとは異なる振幅レベルを有する端末パイロットがある。
【００４９】
図５の上部分ではセルＡの周波数パターンが、下部分ではセルＢの周波数パターンが示されている。端末パイロットは、セルＡおよびセルＢの周波数パターンについて周波数軸上でそれぞれ異なる位置を有し、この端末パイロットは、モバイル端末のサービス側セルを識別するために使用され得る。
【００５０】
単一キャリアＦＤＭＡシステムについての本発明の別の実施形態では、セル識別は、セル固有であるアップリンク上のトレーニングシーケンスによって実現され得る。
【００５１】
基地局は、どのセルから、どの周波数パターンで、いつ干渉が来るか、またどの強度またはダメージでそれが来るかを識別する。次いで、それは、識別された、おそらく最悪の妨害セルのサービス側基地局と接触する。
【００５２】
実施例の図１では、基地局ノードＢ  Ａは、モバイル端末Ｔ２によって引き起こされる干渉が、基地局ノードＢ  Ｂによってサービスされるセルから生じていることを識別し、基地局ノードＢ  Ａは基地局ノードＢ  Ｂに、たとえば無線ネットワーク制御装置（ＲＮＣ：Ｒａｄｉｏ  Ｎｅｔｗｏｒｋ  Ｃｏｎｔｒｏｌｌｅｒ）を介してまたは直接に接触する。
【００５３】
その情報、または地理情報などその端末に関するさらなる情報を用いて基地局ノードＢ  Ｂは、その履歴を見ることによってそのモバイル端末のうちのどれから干渉が出されたかを発見することができる。次いで、それは、そのモバイル端末Ｔ２について、妨害された他の基地局からの干渉報告を組み合わせる。
【００５４】
実施例の図３および４では、アップリンク用にたとえばサブセットＦ２を使用し、それぞれ図３のセルＣ１および図４のセクタＳ１に接近し妨害するモバイル端末Ｔ２のような干渉側モバイル端末が、矢印として表されている。
【００５５】
最強の干渉強度または最高のダメージを伴う基地局、この実施例ではセルＣ１またはセクタＳ１の基地局は次に、負荷やネットワーク基準など何らかの他の状態の観察のもとで、可能であればモバイル端末Ｔ２をセルＣ１またはセクタＳ１の専用サブセットＦ１の周波数パターン上にスケジューリングすることによって助けを得る。これによって、以前に使用されていたサブセットＦ２上の干渉が取り除かれ、次にこのサブセットＦ２は、向上された信号対雑音比を伴う、セルＣ１またはセクタＳ１のアップリンクで使用されることができる。
【００５６】
したがって、図３および図４に示すように、上述した本発明による方法がすべてのセルまたはセクタに適用される場合、セルまたはセクタの境界領域内で使用され、またｋと示されるサブセットＦｋは、最強の干渉強度および最高のダメージを伴うセルまたはセクタのセル間干渉の負担を負うように選択された専用のサブセットである。
【００５７】
実施例では、上述したように、最も近い近隣セルまたはセクタは、最強の干渉強度または最高のダメージを伴うものであると見なされる。しかし、本発明は、この場合に限定されない。
【００５８】
図３および図４から見て分かるように、すべてのセルからの境界もまた、使用されているサブセットの番号ｋでマーク付けされているならば、アップリンクのすべての周波数は完全に対称的に、複数のセルの領域に渡って均等に使用されており、等方性の伝播状態を想定して均等に分散されたモバイル端末にほぼ最適なリソース使用が提供されている。
【００５９】
さらに、図３のセルＣ１の周囲を見ると、サブセットＦ１は、近隣セルからのすべての周囲のモバイル端末から使用されている。したがって、本目標のように、セルＣ１の基地局の外部のモバイル端末からの干渉はサブセットＦ１上に集中され、他のサブセット上では低減される。
【００６０】
本発明の一実施形態では、本発明による方法が失敗しないようにするために、セルＣｎまたはセクタＳｎに属するモバイル端末は、専用サブセットＦｎの電力制限を観察し、またはＦｎがそのモバイル端末によって制限された電力ｐｌだけで発せられるようにスケジューリングされる。この制限電力ｐｌは、所望の信号および干渉がほぼ等しく減衰されるセル境界での状況を考慮して選択されるべきである。したがって、この値は、セルＣｎまたはセクタＳｎからのモバイル端末が、サブセットＦｎのパターンに正確に近隣セルまたはセクタ内でスケジューリングされ、またそのセルまたはセクタ境界の近くに位置する近隣モバイル端末のアップリンク送信を妨害し得ないことを保証すべきである。その結果、セルＣｎまたはセクタＳｎの内部のサブセットＦｎは、セルＣｎまたはセクタＳｎのアンテナに近い、すなわちセルＣｎまたはセクタＳｎの内側領域内のモバイル端末によってだけ使用されることができ、近隣セルまたはセクタのモバイル端末から生じるサブセットＦｎへの干渉は、かなりの程度まで許容され得る。
【００６１】
本発明の一実施形態では、干渉妨害報告の大量のシグナリングを回避するためにモバイル端末は、そのダウンリンク干渉測定によってそのアップリンク干渉の生成と等価のものが返されるという概算に基づいて、どのセルでそれが妨害を引き起こすかをそれ自体で前もって予測することもできる。
【００６２】
次いで、モバイル端末、たとえば図１のモバイル端末Ｔ２は、そのサービス側基地局、たとえばノードＢ  Ｂにダウンリンク干渉に関する測定について信号を伝え、次いで、制限された周波数群、すなわち妨害を受けるセルまたはセクタの専用サブセット内だけで干渉を引き起こすよう、妨害を受けるセルまたはセクタの専用サブセットへの適切なアップリンクスケジューリングを求める。
【００６３】
これは、制限されていないリソース内の各基地局に対するアップリンク干渉の低減をももたらし、基地局間のシグナリングを必要としない。
【００６４】
提案されたアップリンク干渉調整では、セルまたはセクタの内側領域内では、すべての周波数が影響を受けない。ネットワーク計画および調整による制限は境界領域内で行われるにすぎず、この境界領域では周波数の使用可能性は、周波数が再利用されない場合はたとえば１／７のような大きくない量にまで減少されるが、図３の場合にはわずかだけ、たとえば６／７にまでしか減少されない。
【００６５】
提案された本発明を使用することによって、ＯＦＤＭシステムまたは単一キャリアＦＤＭＡシステムは、すべての、特に移動中のモバイル端末の完全なセルカバレッジを有することができる。
【００６６】
さらに、この解決策は、移動体のサービス範囲が増加されるので、マクロダイバーシチの必要性を回避するのに役立つ。
【図面の簡単な説明】
【００６７】
【図１】単一周波数ネットワーク内の２つのセル間の境界におけるアップリンク上の干渉状況を概略的に示す図である。
【図２】ＯＦＤＭまたは単一キャリアＦＤＭＡ周波数帯域が独立のサブセットに分割されること、およびアップリンク上の専用サブセットの電力制限を概略的に示す図である。
【図３】専用サブセットが境界領域内の端末に割り当てられている、六角形のセルパターンを概略的に示す図である。
【図４】アップリンク上で専用サブセットが境界領域内の端末に割り当てられている、セクタ化されたセルパターンを概略的に示す図である。
【図５】ＯＦＤＭ伝送のセル特定のアップリンクパイロットを概略的に示す図である。
【符号の説明】
【００６８】
Ａ、Ｂ  ノードＢ
Ｃ１、Ｃｎ  セル
ｆ  周波数軸
Ｆ１、Ｆ２、Ｆｋ、Ｆｎ、ＦＲ  サブセット
ｋ  番号
ｎ  セル番号／番号
ｐ  電力軸
ｐｌ  電力
Ｓ  信号軸
Ｓ１、Ｓｎ  セクタ
Ｔ１、Ｔ２  モバイル端末
【図１】
2006352859.tif 000003
【図２】
2006352859.tif 000004
【図３】
2006352859.tif 000005
【図４】
2006352859.tif 000006
【図５】
2006352859.tif 000007
【外国語明細書】
2006352859.tif 000008
2006352859.tif 000009
2006352859.tif 000010
2006352859.tif 000011
2006352859.tif 000012
2006352859.tif 000013
2006352859.tif 000014
2006352859.tif 000015
2006352859.tif 000016
2006352859.tif 000017
2006352859.tif 000018
2006352859.tif 000019
2006352859.tif 000020
2006352859.tif 000021
2006352859.tif 000022
2006352859.tif 000023
2006352859.tif 000024
2006352859.tif 000025
2006352859.tif 000026
2006352859.tif 000027
2006352859.tif 000028
2006352859.tif 000029
2006352859.tif 000030
2006352859.tif 000031
2006352859.tif 000032
2006352859.tif 000033
2006352859.tif 000034
2006352859.tif 000035